(57)【要約】【課題】綴り時に左右の締め込み量を均等にして常に良好な綴りを確保することができるステープラのクリンチャ機構を提供する。【解決手段】ステープラ本体にセットされた被綴り用紙２を貫通したステープル脚７を折り曲げる左右１対の可動クリンチャ４を保持プレート５に回動自在に軸支したステープラのクリンチャ機構において、上記保持プレート５の、上記両可動クリンチャ４の回動軸１０間のセンターを中心にして揺動可能に支持した。【選択図】図１
2006110868.tif 000002
【特許請求の範囲】
【請求項１】
ステープラ本体にセットされた被綴り用紙を貫通したステープル脚を折り曲げる左右１対の可動クリンチャを保持プレートに回動自在に軸支したステープラのクリンチャ機構において、
上記保持プレートを、上記両可動クリンチャの回動軸間のセンターを中心にして揺動可能に支持した
ことを特徴とするステープラのクリンチャ機構。
【請求項２】
前記保持プレートの上端を、前記被綴り用紙の可動クリンチャ側の面を受けるテーブルの表面から出ないようにした、請求項１記載のステープラのクリンチャ機構。
【請求項３】
ステープラ本体にセットされた被綴り用紙を貫通したステープル脚を折り曲げるクリンチ溝を形成した綴り部を備えたステープラのクリンチャ機構において、上記綴り部を、そのセンターを中心にして揺動可能に支持した
ことを特徴とするステープラのクリンチャ機構。
【発明の詳細な説明】
【技術分野】
【０００１】
本発明は、被綴り用紙を貫通したステープル脚を折り曲げる左右１対の可動クリンチャを備えたステープラのクリンチャ機構に関するものである。
【背景技術】
【０００２】
一般に、この種の可動クリンチャは左右に１対設けられており、ドライバによって打ち出されたステープルの脚が被綴り用紙を貫通した後に回動してステープル脚を折り曲げてクリンチするものである。固定クリンチャによってステープル脚を折り曲げるときは、ステープル脚は弯曲してしまうので、全体の厚みが大きくなってしまうが、可動クリンチャによってステープル脚を折り曲げる方式によれば、ステープル脚は真直状態を保ったまま屈曲されるので、全体の厚みが大きくなることはない。このため、ほとんどの電動ステープラに採用されている。
【特許文献１】特開平９−１５５７６３号公報
【発明の開示】
【発明が解決しようとする課題】
【０００３】
しかしながら、可動クリンチャは左右１対設けられ、各可動クリンチャは通常は、図４（ａ）に示されるように、ステープラ本体の左右に設けられたリンク機構によって駆動されるもので、この例では同図（ｂ）のようにカム２１が回転すると第１のリンク２２が回動し、これに応じて第２のリンク２３が回動して、その作動部２４が上動し、これにしたがって、図５のように作動部２４に係合した可動クリンチャ２５が回動してステープル脚７を折り曲げるように構成されている。このように、リンク機構は数枚のリンクが連動するように構成されている。したがって、左右においてカムや第１のリンク、第２のリンクに寸法誤差や取付誤差があると、それぞれが公差の範囲内であっても、それが集積されると、各可動クリンチャに対する荷重バランスがくずれ、左右のクリンチ高さがアンバランスになり、綴ったステープル脚の先端の締め込み量が一方だけが弱くなって、図５のようにステープル脚７を左右均等に折り曲げできず、このためＰＬ問題や見栄えの悪化に繋がるおそれがあった。
【０００４】
本発明は、上記問題点を解消し、綴り時に左右の締め込み量を均等にして常に良好な綴りを確保することができるステープラのクリンチャ機構を提供することをその課題とする。
【課題を解決するための手段】
【０００５】
上記課題を解決するため、請求項１に係るステープラのクリンチャ機構は、ステープラ本体にセットされた被綴り用紙を貫通したステープル脚を折り曲げる左右１対の可動クリンチャを保持プレートに回動自在に軸支したステープラのクリンチャ機構において、上記保持プレートを、上記両可動クリンチャの回動軸間のセンターを中心にして揺動可能に支持したことを特徴とする。
【０００６】
請求項２に係るステープラのクリンチャ機構は、前記保持プレートの上端を、前記被綴り用紙の可動クリンチャ側の面を受けるテーブルの表面から出ないようにすることを特徴とする。
【０００７】
請求項３に係るステープラのクリンチャ機構は、本発明に係るステープラのクリンチャ機構は、ステープラ本体にセットされた被綴り用紙を貫通したステープル脚を折り曲げるクリンチ溝を形成した綴り部を備えたステープラのクリンチャ機構において、上記綴り部を、そのセンターを中心にして揺動可能に支持することを特徴とする。
【発明の効果】
【０００８】
請求項１に係る発明によれば、保持プレートを、可動クリンチャの回動軸間のセンターを中心にして揺動可能に支持したので、一方の可動クリンチャに対する荷重が大きくなると、２つの可動クリンチャに対する荷重バランスがくずれることになるので、保持プレートは荷重の大きさに対応して両方の荷重バランスが均等になるように左又は右に揺動する。このため、両側の締め込み量も均等になるから、左右のクリンチ高さがアンバランスになることはない。このように、ステープル脚の先端の締め込みが一方だけが弱くなったような場合でも、保持プレートが揺動して綴り時に左右の締め込み量を均等にして常に良好な綴りを確保することができる。
【０００９】
請求項２に係る発明によれば、前記保持プレートの上端を、前記被綴り用紙の可動クリンチャ側の面を受けるテーブルの表面から出ないようにしたので、保持プレートが揺動してもテーブルから突出しないので、被綴り用紙の表面に保持プレートが当たって汚損することを防止することができる。
【００１０】
請求項３に係る発明によれば、通常の手動のステープラでも、綴り部が揺動して綴り時に左右の締め込み量を均等にして常に良好な綴りを確保することができる。
【発明を実施するための最良の形態】
【００１１】
図１は本発明に係るクリンチャ機構を示す正面図である。同図において符号１はステープラ本体（図示せず）に設けられた綴り用テーブルを示す。このテーブル１は被綴り用紙２を綴るために被綴り用紙２の一方の面（通常は裏側の面）を受ける部材で、その一部には開口部１ａが形成され、開口部１ａの下方にはドライバプレート３が上下動可能に配置され、開口部１ａの上方にはクリンチャ機構が配置されている。
【００１２】
クリンチャ機構は、図３に示されるように、左右１対の可動クリンチャ４とその保持プレート５とからなるクリンチャユニットと、可動クリンチャ４の駆動手段とから構成されている。駆動手段は図４に示すリンク機構によればよい。
【００１３】
可動クリンチャ４は、その下部にステープル脚７の受け面６を、その基部には軸受孔８を、最外側には切欠き部９を有するもので、下部は保持プレート５に設けられた回動軸１０に回動自在に支持されている。
【００１４】
保持プレート５は前後に１対設けられ、左右両側の大きな穴１１の外周に設けられたリブを利用して一定の間隔を保って平行になるように形成され、その間に可動クリンチャ４が上記回動軸１０に回動自在に軸支されている。保持プレート５の対向面にはそれぞれ凹部１３が形成されている。一方の凹部１３は左に、他方の凹部１３は右に形成され、各凹部１３内に可動クリンチャ４が配置されている。このため、２つの可動クリンチャ４は先端部分が干渉せずに重なり合うように配置される。また、保持プレート５の凹部１３の縁部の下端には、ステープル脚７の案内用傾斜面１４が形成されている。さらに、保持プレート５の下部の左右両端は切り落としにより段部１５が形成されている。
【００１５】
さらに、保持プレート５の両可動クリンチャ４の回動軸１０間の中心の上方には凹陥部１６が形成され、この凹陥部１６の中央には凸部１７が形成されている。凸部１７は両回動軸１０間のセンター上にある。クリンチャユニットは、図１のように、ステープラ本体の荷重受け部１８上に上記凸部１７が係合するように支持され、これにより、クリンチャユニットは上記凸部１７上を揺動可能に支持され、シーソー運動できるようになっている。
【００１６】
なお、回動軸１０間のセンターとは、回動軸１０間を結ぶ線Ａの中心から直交する線Ｐ上にある任意の点のことである。
【００１７】
次に、上記保持プレート５と可動クリンチャ４のステープル脚受け面６とはテーブル１の開口部１ａに露出するように配置されている。
【００１８】
なお、保持プレート５の両端の段部１５はテーブル１の開口部１ａの縁部裏面１９に係合可能に配置され、これにより保持プレート５は揺動する際、上記段部１５が開口部の縁部裏面１９に係合して、保持プレート５の下端面はテーブル１の下面よりも下方に突出しないようになっている。
【００１９】
また、ドライバプレート３によって打ち出されたステープル脚７の先端が上記保持プレート５の案内用傾斜面１４に落ち込むように構成されている。
【００２０】
なお、可動クリンチャ４の両外側の切欠き部９には、図４に示されるリンク機構の第２のリンク２３の作動部２４が係合され、作動部２４が上下動することにより、回動軸１０を中心に回動するように構成されているが、駆動手段は他の構成でもよい。上記作動部が上下動することにより、可動クリンチャ４が回動軸１０を中心に一定の範囲で回動することができる。
【００２１】
次に、上記構成のクリンチャ機構の作動態様について説明する。
【００２２】
所定位置に被綴り用紙２をセットした後、ステープラを駆動すると、図１のようにドライバプレート３が作動してステープルを打ち出す。ステープル脚７は被綴り用紙２を貫通して裏側に通り抜け、その先端は可動クリンチャ４のステープル脚受け面６に係合し、この受け面６の傾斜にしたがって少し内側に曲がる。なお、ステープル脚７の先端は図３の保持プレート５の案内用傾斜面１４に落ち込み、この傾斜面１４に案内されて互いに反対側に位置ずれして一方の可動クリンチャ４の受け面６に係合する。
【００２３】
さらに駆動手段が作動し、各可動クリンチャ４の切欠き部９を上方に押圧して回動させるので、ステープル脚７もさらに折り曲げられ、最終的に、図２のように、被綴り用紙２の裏面に当接するように押し付けられる。このとき、両側のステープル脚７は案内用傾斜面１４により互いに干渉しないように曲げられるので、衝合することはない。その後、可動クリンチャ４とドライバプレート３は元の位置に復帰移動し、綴り作動は終了し、次の綴りが準備される。
【００２４】
ところで、上述のように綴り作動が行なわれる場合、保持プレート５は固定されたものではなく、凸部１７を中心に揺動可能に設けられているので、一方の可動クリンチャ４を駆動する駆動手段が他方の駆動手段よりも可動クリンチャ４に対する荷重が大きくなると、２つの可動クリンチャ４に対する荷重バランスがくずれることになる。しかし、保持プレート５は図２に示されるように、荷重の大きさに対応して両方の荷重バランスが均等になるように左又は右に揺動する。このため、両側の締め込み量も均等になるから、左右のクリンチ高さがアンバランスになることはない。このように、ステープル脚７の先端の締め込みが一方だけが弱くなったような場合でも、保持プレート５が揺動して綴り時に左右の締め込み量を均等にして常に良好な綴りを確保することができる。
【００２５】
なお、保持プレート５は２枚である必要はない。１対の可動クリンチャ４を１枚の保持プレート５に保持する構成でもよい。
【００２６】
また、保持プレート５は回動軸１０間のセンター上に支持されていればよく、必ずしも上述の例に限定されない。例えば、保持プレートの外面のセンター上に軸を突出し、この軸をステープラ本体で揺動自在に受けるように構成することもできる。
【産業上の利用可能性】
【００２７】
上述のように荷重バランスの均衡が得られるようにするためには、要するにクリンチャを備えた部材を揺動可能とすればよいのであるから、可動クリンチャに限定されない。通常の手動ステープラに形成された弯曲クリンチ溝を有する綴り部を揺動可能とすることにより、適用することができる。
【図面の簡単な説明】
【００２８】
【図１】本発明に係るクリンチャ機構を示す正面図である。
【図２】上記クリンチャ機構の作動態様説明図である。
【図３】上記クリンチャ機構の分解斜視図である。
【図４】（ａ）（ｂ）は駆動手段の一例の作動説明図である。
【図５】従来のクリンチャ機構の正面図である。
【符号の説明】
【００２９】
４  可動クリンチャ
５  保持プレート
１０  回動軸
【図１】
2006110868.tif 000003
【図２】
2006110868.tif 000004
【図３】
2006110868.tif 000005
【図４】
2006110868.tif 000006
【図５】
2006110868.tif 000007